【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
３次元の造形物を造形する造形装置を監視する監視装置と、監視装置とネットワーク介して通信する管理システムと、を含むシステムであって、
前記監視装置は、
前記造形装置の造形部で行われる３次元の造形物の造形処理が実行されるごとに積算されて前記造形装置の記憶部で記録される積層回数を取得する取得手段と、
前記造形装置を識別するための識別情報と、前記取得された積層回数と、を含むデータを生成する生成手段と、
前記生成手段により生成されたデータを前記管理システムに対して送信する送信手段と、を有し、
前記管理システムは、
前記監視装置から、データを受信する受信手段と、
前記受信されたデータに含まれる識別情報と、積層回数と、を記憶装置に格納する格納手段と、
を有することを特徴とするシステム。
【請求項２】
前記送信手段は、前記造形装置を識別するための識別情報と、前記取得された積層回数と、を含むデータを、前記管理システムから指定されたスケジュールに従い、定期的に送信することを特徴とする請求項１に記載のシステム。
【請求項３】
前記生成手段は、前記造形装置でイベントが発生した場合に、当該発生したイベントを示す情報と、該イベントが発生した時刻を示す情報と、前記造形装置を識別するための識別情報と、前記取得された積層回数と、を含むデータを生成し、
前記送信手段は、前記造形装置での前記イベントの発生に応じて、当該発生したイベントを示す情報と、該イベントが発生した時刻を示す情報と、前記造形装置を識別するための識別情報と、前記取得された積層回数と、を含むデータを、前記管理システムに対して送信することを特徴とする請求項１または２に記載のシステム。
【請求項４】
前記監視装置は、前記造形装置に内蔵されることを特徴とする請求項１乃至３のいずれか１項に記載のシステム。
【請求項５】
３次元の造形物を造形する造形装置を監視する監視装置と、監視装置とネットワーク介して通信する管理システムと、で実行される方法であって、
前記監視装置は、前記造形装置の造形部で行われる３次元の造形物の造形処理が実行されるごとに積算されて前記造形装置の記憶部で記録される積層回数を取得し、
前記監視装置は、前記造形装置を識別するための識別情報と、前記取得された積層回数と、を含むデータを生成し、
前記監視装置は、前記生成されたデータを前記管理システムに対して送信し、
前記管理システムは、前記監視装置から、データを受信し、
前記管理システムは、前記受信されたデータに含まれる識別情報と、積層回数と、を記憶装置に格納することを特徴とする方法。
【請求項６】
３次元の造形物を造形する造形装置を監視する監視装置であって、
前記造形装置の造形部で行われる３次元の造形物の造形処理が実行されるごとに積算されて前記造形装置の記憶部で記録される積層回数を取得する取得手段と、
前記造形装置を識別するための識別情報と、前記取得された積層回数と、を含むデータを生成する生成手段と、
前記生成手段により生成されたデータを管理システムに対して送信する送信手段と、
を有することを特徴とする監視装置。
【請求項７】
前記送信手段は、前記造形装置を識別するための識別情報と、前記取得された積層回数と、を含むデータを、前記管理システムから指定されたスケジュールに従い、定期的に送信することを特徴とする請求項２に記載の監視装置。
【請求項８】
前記生成手段は、前記造形装置でイベントが発生した場合に、当該発生したイベントを示す情報と、該イベントが発生した時刻を示す情報と、前記造形装置を識別するための識別情報と、前記取得された積層回数と、を含むデータを生成し、
前記送信手段は、前記造形装置での前記イベントの発生に応じて、当該発生したイベントを示す情報と、該イベントが発生した時刻を示す情報と、前記造形装置を識別するための識別情報と、前記取得された積層回数と、を含むデータを、前記管理システムに対して送信することを特徴とする請求項６または７に記載の監視装置。
【請求項９】
前記生成手段は、前記造形装置で造形処理が実行された際に、該造形処理の開始時の時刻を示す情報および前記造形装置の記憶部で記録される積層回数と、該造形処理の完了時の時刻を示す情報および前記造形装置の記憶部で記録される積層回数と、該造形処理で利用された消耗材の利用量と、を含む造形内容を示すデータを生成し、
前記送信手段は、当該造形処理の完了後に、前記生成された造形内容を示すデータを前記管理システムに対して送信することを特徴とする請求項６乃至８のいずれか１項に記載の監視装置。
【請求項１０】
前記造形装置の記憶部で記録される積層回数は、前記造形装置の造形方式が材料シート積層方式である場合には、造形処理での材料シートの積層枚数を示すことを特徴とする請求項６乃至９のいずれか１項に記載の監視装置。
【請求項１１】
前記造形装置の記憶部で記録される積層回数は、前記造形装置の造形方式が光造形方式である場合には、造形処理の際の造形部のステージ上への消耗材の積層回数を示すことを特徴とする請求項６乃至１０のいずれか１項に記載の監視装置。
【請求項１２】
前記造形装置の記憶部で記録される積層回数は、前記造形装置の造形方式がインクジェット方式である場合には、造形処理の際の造形部のステージが、消耗材が積層される該ステージの水平面に対して垂直方向に積層ごとに移動した回数を示すことを特徴とする請求項６乃至１１のいずれか１項に記載の監視装置。
【請求項１３】
前記監視装置は、前記造形装置に内蔵されることを特徴とする請求項６乃至１２のいずれか１項に記載の監視装置。
【請求項１４】
前記造形装置の記憶部で記録される積層回数は、前記造形装置の利用開始から実行された複数のジョブに対応する複数回の造形処理ごとに積算されたトータルの積層回数を示すことを特徴とする請求項６乃至１３のいずれか１項に記載の監視装置。
【請求項１５】
前記造形装置は、前記記録部に、前記造形装置で実行されたジョブに対応する造形処理で利用された消耗材の利用量をログとして記録し、
前記生成手段は、前記造形装置の前記記憶部で記録されるログに基づき、前記造形装置での造形処理で利用された消耗材の利用量と前記造形装置を識別するための識別情報とを含むデータをさらに生成することを特徴とする請求項６乃至１４のいずれか１項に記載の監視装置。
【請求項１６】
前記ログでは、造形材及びサポート材のそれぞれの利用量が記録され、
前記生成手段は、前記ログに基づき、前記造形装置での造形処理で利用された消耗材の利用量として、造形材及びサポート材のそれぞれの利用量と、前記造形装置を識別するための識別情報とを含むデータをさらに生成することを特徴とする請求項１５に記載の監視装置。
【請求項１７】
３次元の造形物を造形する造形装置を監視する監視装置における方法であって、
前記造形装置の造形部で行われる３次元の造形物の造形処理が実行されるごとに積算されて前記造形装置の記憶部で記録される積層回数を取得する取得工程と、
前記造形装置を識別するための識別情報と、前記取得された積層回数と、を含むデータを生成する生成工程と、
前記生成されたデータを前記管理システムに対して送信する送信工程と、
を有することを特徴とする方法。
【請求項１８】
前記監視装置は、前記造形装置に内蔵されることを特徴とする請求項１７に記載の方法。
【請求項１９】
コンピューターに、
３次元の造形物を造形する造形装置の造形部で行われる３次元の造形物の造形処理が実行されるごとに積算されて前記造形装置の記憶部で記録される積層回数を取得する取得工程と、
前記造形装置を識別するための識別情報と、前記取得された積層回数と、を含むデータを生成する生成工程と、
前記生成されたデータを前記管理システムに対して送信する送信工程と、
を実行させるためのプログラム。